(57)【要約】      （修正有）【課題】芯を交換可能する際に、外筒を取り外す必要がなく、内筒を効率よく変更することが可能で、メンテナンスコストを抑えることができる錠前を提供する。【解決手段】芯が交換可能な錠前は、外筒１０の解除凹部１３、第一摺動凹部１４、第二摺動凹部、内筒２０、ロックタンブラー４０などの構造設計によって、内筒２０を取り外す時は、マスターキーを解除貫設部材４１に当接するまで内筒２０に挿し込んで逆方向へ回転させ、解除貫設部材４１を解除凹部１３に合わせると、内筒２０を外筒１０から引き抜いて取り外すことができる。【選択図】図３
2018084134.tif 000002
【特許請求の範囲】
【請求項１】
軸方向及びこれに垂直な径方向を有し、
中空状のケースであり、軸方向に貫通するように形成されると共に、その両端にそれぞれ開口を有する収容穴と前記収容穴の内周面に、前記軸方向に沿って凹設される少なくとも１つの係合凹部と、前記収容穴の内周面に凹設されるように、前記軸方向に沿って一端の開口まで延出すると共に前記係合凹部と平行する解除凹部と、前記収容穴の内周面における径方向の相対する両側に形成される、互いに連通しない第一摺動凹部及び第二摺動凹部とを備える、外筒と、
前記外筒に回転可能に嵌設され、軸方向に貫通するように形成される挿入穴を備える、内筒と、
それぞれ、前記軸方向に沿って間隔をおいて配列するように、径方向に前記内筒に貫設され、また、該軸方向の第一カギ穴が形成される貫設部材と、該貫設部材と内筒との間に取り付けられ、通常の状態において、該貫設部材を径方向に係合凹部に押込むための第一スプリングを備える、複数のタンブラーと、
前記内筒に径方向に貫設されると共に、解除貫設部材及び第二スプリングを備え、そのうち、解除貫設部材は、第一端及び第二端を備え、該第二端の形状及び位置が解除凹部の形状及び位置に対応し、該解除貫設部材に軸方向の解除穴が形成され、該第二スプリングは、解除貫設部材を第一摺動凹部に向かって押付けるように、解除貫設部材に取り付けられ、また、該第二スプリングが圧縮されていない場合、該解除貫設部材の第一端は、第一摺動凹部に位置するが、解除凹部まで回転することができず、該第二スプリングが圧縮されている場合、該解除貫設部材の第二端が第二スプリングによる第二摺動凹部に位置し、第二摺動凹部における解除凹部と対応する箇所まで回転し、軸方向に沿って解除凹部に挿し込まれる、ロックタンブラーと、を有することを特徴とする、
芯が交換可能な錠前。
【請求項２】
前記各貫設部材は、プレート状を呈し、前記第一カギ穴の周囲の内側面の一部に第一段差面が設けられることを特徴とする請求項１に記載の芯が交換可能な錠前。
【請求項３】
前記内筒は、外筒の形状及び寸法と対応する段差面を備え、該段差面は、外筒の一側面に当接することを特徴とする請求項１または２に記載の芯が交換可能な錠前。
【請求項４】
前記外筒における第一摺動凹部及び第二摺動凹部との間に制限部が設けられることを特徴とする請求項１または２に記載の芯が交換可能な錠前。
【請求項５】
前記各貫設部材は、第一当接突起を備え、前記内筒における、第一当接突起と対応する箇所にそれぞれ当接部が設けられ、該当接部が選択可能に第一当接突起に当接することを特徴とする請求項１または２に記載の芯が交換可能な錠前。
【請求項６】
前記第一スプリング及び第二スプリングが圧縮バネであることを特徴とする請求項１または２に記載の芯が交換可能な錠前。
【発明の詳細な説明】
【技術分野】
【０００１】
本発明は、特に芯を交換可能な錠前に関するものである。
【背景技術】
【０００２】
錠前と鍵は、利便性が高いという利点で日常生活に普及しており、例えば、ジムや、デパート、駅などの公共空間におけるコインロッカーまたはホテルのドアにも錠前と鍵が使用されている。そのうち、ロッカーでは、使用者が荷物を入れて鍵をかけて引き抜けば、荷物を預けることができるので、使用上非常に便利である。
【０００３】
利用者が不注意により鍵を紛失して、ロッカーが開錠不能となることを防止するために、通常は、管理者がマスターキーを持っており、そのマスターキーは特殊な構造を有するため、すべてのロッカーを解錠できる。
上記のような鍵及びマスターキーを有する錠前は、使用上便利ではあるが、盗難事件や不法侵入などの問題もある。例えば、合鍵を作って次の利用者の荷物を盗んだり、或いは、ホテルのドアの合鍵を作って不法に侵入し、窃盗を行うなどの事件もある。また、マスターキーの保管者が合鍵を作ってすべての錠前を解錠して大量に窃盗を行うなどの事件も存在する。
このような、合鍵を勝手に作り、錠前を解錠して盗難したり、不法に侵入したりすることなどを防止するために、従来では、錠前及び鍵を定期的に変更して、解錠できなくするのが一般的であった。
【先行技術文献】
【特許文献】
【０００４】
【特許文献１】特願２００４−８０５００号公報
【発明の概要】
【発明が解決しようとする課題】
【０００５】
しかしながら、既存の錠前と鍵を変更する時は、錠前全体をドアから取り外さなければならないが、錠前はしっかりとドアに取り付けられているので、作業時間がかかり、コストも増えてしまう。
【課題を解決するための手段】
【０００６】
本発明に係る芯が交換可能な錠前は、軸方向及びこれに垂直な径方向を有し、中空状のケースであり、軸方向に貫通するように形成されると共に、その両端にそれぞれ開口を有する収容穴と前記収容穴の内周面に、前記軸方向に沿って凹設される少なくとも１つの係合凹部と、前記収容穴の内周面に凹設されるように、前記軸方向に沿って一端の開口まで延出すると共に前記係合凹部と平行する解除凹部と、前記収容穴の内周面における径方向の相対する両側に形成される、互いに連通しない第一摺動凹部及び第二摺動凹部とを備える、外筒と、前記外筒に回転可能に嵌設され、軸方向に貫通するように形成される挿入穴を備える、内筒と、それぞれ、前記軸方向に沿って間隔をおいて配列するように、径方向に前記内筒に貫設され、また、該軸方向の第一カギ穴が形成される貫設部材と、該貫設部材と内筒との間に取り付けられ、通常の状態において、該貫設部材を径方向に係合凹部に押込むための第一スプリングを備える、複数のタンブラーと、前記内筒に径方向に貫設されると共に、解除貫設部材及び第二スプリングを備え、そのうち、解除貫設部材は、第一端及び第二端を備え、該第二端の形状及び位置が解除凹部の形状及び位置に対応し、該解除貫設部材に軸方向の解除穴が形成され、該第二スプリングは、解除貫設部材を第一摺動凹部に向かって押付けるように、解除貫設部材に取り付けられ、また、該第二スプリングが圧縮されていない場合、該解除貫設部材の第一端は、第一摺動凹部に位置するが、解除凹部まで回転することができず、該第二スプリングが圧縮されている場合、該解除貫設部材の第二端が第二スプリングによる第二摺動凹部に位置し、第二摺動凹部における解除凹部と対応する箇所まで回転し、軸方向に沿って解除凹部に挿し込まれる、ロックタンブラーと、を有する。
【０００７】
かかる芯が交換可能な錠前において、前記各貫設部材は、プレート状を呈し、前記第一カギ穴の周囲の内側面の一部に第一段差面が設けられることが好ましい。
【０００８】
かかる芯が交換可能な錠前において、前記内筒は、外筒の形状及び寸法と対応する段差面を備え、該段差面は、外筒の一側面に当接することが好ましい。
【０００９】
かかる芯が交換可能な錠前において、前記外筒における第一摺動凹部及び第二摺動凹部との間に制限部が設けられることが好ましい。
【００１０】
かかる芯が交換可能な錠前において、前記各貫設部材は、第一当接突起を備え、前記内筒における、第一当接突起と対応する箇所にそれぞれ当接部が設けられ、該当接部が選択可能に第一当接突起に当接することが好ましい。
【００１１】
かかる芯が交換可能な錠前において、前記第一スプリング及び第二スプリングが圧縮バネであることが好ましい。
【発明の効果】
【００１２】
本発明に係る芯が交換可能な錠前は、外筒の解除凹部、第一摺動凹部、第二摺動凹部、内筒、ロックタンブラーなどの構造設計によって、内筒の取り外しが従来よりも簡単であり、使用する時は、マスターキーを解除貫設部材に当接するまで内筒に挿し込んで逆方向へ回転させ、解除貫設部材を解除凹部に合わせると、内筒を外筒から引き抜いて取り外すことができ、外筒を取り外す必要はないので、内筒を変更する効率が高まり、メンテナンスコストを抑えることができる。
【図面の簡単な説明】
【００１３】
【図１】本発明に係る芯が交換可能な錠前及びカギの斜視図である。
【図２】本発明に係る芯が交換可能な錠前の他の斜視図である。
【図３】本発明に係る芯が交換可能な錠前の分解斜視図である。
【図４】本発明に係る芯が交換可能な錠前の第一実施例における貫設部材の側面図である。
【図５】本発明に係る芯が交換可能な錠前の第二実施例における貫設部材の側面図である。
【図６】本発明に係る芯が交換可能な錠前における解除貫設部材の側面図である。
【図７】本発明に係る芯が交換可能な錠前において、カギを通常の状態で使用して解錠する場合の部分断面図である。
【図８】本発明に係る芯が交換可能な錠前において、マスターキーで内筒を解錠して引き抜いた状態を示す部分分解斜視図である。
【図９】本発明に係る芯が交換可能な錠前において、マスターキーで内筒を解錠する場合の操作を示す部分断面図である。
【図１０】本発明に係る芯が交換可能な錠前において、マスターキーで内筒を解錠して引き抜く場合の部分断面図である。
【図１１】本発明に係る芯が交換可能な錠前における、カギ及びマスターキーの側面図である。
【図１２】本発明に係る芯が交換可能な錠前における内筒の側面断面図である。
【図１３】本発明に係る芯が交換可能な錠前において、カギを内筒に挿入した状態を示す側面断面図である。
【図１４】本発明に係る芯が交換可能な錠前において、マスターキーを内筒に挿入した状態を示す他の側面断面図である。
【発明を実施するための形態】
【００１４】
以下、添付図面を参照して本発明の適切な実施の形態を詳細に説明する。
【００１５】
図１乃至図３に示すように、本発明に係る芯が交換可能な錠前の第一実施例は、外筒１０と、内筒２０と、複数のタンブラー３０と、ロックタンブラー４０を有し、また、図２に示すように、軸方向Ｌ１及びこれに垂直な径方向を有する。
【００１６】
図２及び図３に示すように、前記外筒１０は、中空状のケースであり、収容穴１１と、少なくとも１つの係合凹部１２と、解除凹部１３と、第一摺動凹部１４と、第二摺動凹部１５を備える。該収容穴１１は、軸方向Ｌ１に外筒１０全体を貫通するように形成され、その一端に前開口１１１が、他端に後開口１１２が形成され、該少なくとも１つの係合凹部１２は、軸方向Ｌ１に沿って延出するように収容穴１１の内周面に凹設される。
尚、第一実施例においては、前記収容穴１１の内周面における相対する両側にそれぞれ係合凹部１２が凹設されることが好ましいが、その係合凹部１２の数量及び位置に制限はない。
【００１７】
前記解除凹部１３は、収容穴１１の内周面に径方向に凹設され、軸方向Ｌ１に沿って前開口１１１まで延出すると共に、２本の係合凹部１２と平行する。
【００１８】
図２に示すように、前記第一摺動凹部１４及び第二摺動凹部１５は、収容穴１１の内周面における径方向の相対する両側に形成され、該第二摺動凹部１５は、解除凹部１３と連通し、該第一摺動凹部１４及び第二摺動凹部１５との間に制限部１６が設けられる。すなわち、該制限部１６による第一摺動凹部１４と第二摺動凹部１５とを互いに連通しないように離間させる。
図２に示すように、第一実施例における、第一摺動凹部１４及び第二摺動凹部１５は、外筒１０における後開口１１２の端面に形成される。すなわち、後開口１１２の端面から前開口１１１に向かって凹設されることが好ましいが、場合に応じて、如何なる手段で、如何なる位置に形成してもよい。
【００１９】
図１乃至図３に示すように、前記内筒２０は、中空状のケースであり、回転可能に外筒１０の収容穴１１に嵌設され、挿入穴２１と、段差面２２と、複数の貫通穴２３を備える。そのうち挿入穴２１は、軸方向Ｌ１に内筒２０全体を貫通するように形成され、該段差面２２は、形状及び寸法が外筒１０の形状及び寸法と対応し、収容穴１１を封閉すると共に、前開口１１１の周囲へ延出するように、その外周面と外筒１０の外周面とが面合わせとなる。この構成によれば、前記内筒２０は、段差面２２にある挿入穴２１を介して内筒２０の内部及び後開口１１２と連通する。
【００２０】
図３に示すように、前記複数の貫通穴２３はそれぞれ、間隔をおいて軸方向Ｌ１に配列され、該各貫通穴２３は、径方向に内筒２０全体を貫通するように形成される。
【００２１】
前記複数のタンブラー３０は、外筒１０と内筒２０との間に設置されると共に、それぞれが内筒２０の貫通穴２３に挿設され、該貫通穴２３の位置及び寸法と対応する。
【００２２】
図３及び図４に示すように、前記各タンブラー３０は、貫設部材３１及び第一スプリング３２を備え、そのうち貫設部材３１は、内筒２０の貫通穴２３に貫設され、該第一スプリング３２は、貫設部材３１と内筒２０との間に取り付けられる。すなわち、その一端が貫設部材３１に、他端が内筒２０に当接するように取り付けられる。この構成によれば、通常の状態において、該貫設部材３１は第一スプリング３２により径方向に係合凹部１２に嵌めこまれる。
【００２３】
図３及び図４に示すように、第一実施例においては、各貫設部材３１が、プレート状を呈する掛止板であるが、所定の形状に制限されることはない。また、前記各貫設部材３１は、第一カギ穴３１１と、第一段差面３１２と、解除面３１３と、第一当接突起３１４を備える。該第一カギ穴３１１は、軸方向Ｌ１に貫設部材３１に形成され、該第一段差面３１２は、第一カギ穴３１１の周囲の内側面に設けられ、該解除面３１３は、第一段差面３１２の隣に凹設され、該解除面３１３の径方向の幅は、場合に応じて自由に変更可能である。また、前記複数のタンブラー３０は、それぞれの貫設部材３１に異なる第一カギ穴３１１が形成されることから、軸方向Ｌ１から見ると、それぞれの貫設部材３１が異なる形状となることが好ましい。
【００２４】
前記第一当接突起３１４は、貫設部材３１の一側に設けられ、前記内筒２０における、貫設部材３１の第一当接突起３１４と対応する箇所にそれぞれ当接部２４が設けられ、その当接部２４に第一当接突起３１４を当接可能とすることによって、貫設部材３１における径方向の移動範囲を制限する。
【００２５】
図２、図３、図６に示すように、前記ロックタンブラー４０は、外筒１０と内筒２０との間に設置され、前記複数のタンブラー３０と平行状態となるように間隔をおいて内筒２０の１つの貫通穴２３に挿設されると共に、解除貫設部材４１及び第二スプリング４２を備え、そのうち解除貫設部材４１は、内筒２０の貫通穴２３に貫設され、該第二スプリング４２は、一端が解除貫設部材４１に、他端が内筒２０に当接するように取り付けられ、この構成によれば、通常の状態において、該解除貫設部材４１は第二スプリング４２により径方向に嵌め込まれる。
また、第一実施例において、解除貫設部材４１は、プレート状を呈する掛止板であるが、所定の形状に制限されることはない。また、前記解除貫設部材４１は、解除穴４１３と、第二段差面４１４と、第二当接突起４１５を備える。そのうち解除穴４１３は、軸方向Ｌ１に解除貫設部材４１に形成され、該第二段差面４１４は、解除穴４１３の周囲の内側面に設けられ、該第二当接突起４１５は、解除貫設部材４１の一側に設けられ、前記内筒２０における、解除貫設部材４１と対応する箇所に当接部２４が設けられ、該当接部２４を第二当接突起４１５に当接可能とすることによって、解除貫設部材４１における径方向の移動範囲を制限する。
【００２６】
図２及び図６に示すように、第一実施例においては、前記解除貫設部材４１における、第一摺動凹部１４と対応する一端に第一端４１１が設けられると共に、第二摺動凹部１５と対応する他端に第二端４１２が設けられ、前記第二スプリング４２は、通常の状態において、第一端４１１を第一摺動凹部１４に位置させるように、解除貫設部材４１を第一摺動凹部１４に向かって嵌め込む。前記第二端４１２は、解除凹部１３の形状と対応するように設けられ、また、該解除凹部１３と対応する位置に配置される。
【００２７】
また、第一実施例において、その第一スプリング３２及び第二スプリング４２は圧縮バネであるが、それに制限されることはなく、対応する貫設部材３１又は解除貫設部材４１を押圧できれば、如何なる弾力部材であってもよい。
【００２８】
図５に示すように、本発明の第二実施例は、殆ど第一実施例と同一であるが、貫設部材３１Ａの第一段差面３１２Ａに解除面３１３を有しない点において異なり、すなわち、複数の貫設部材３１Ａにおける第一段差面３１２Ａの径方向の位置がそれぞれ異なる。
【００２９】
図１、図８、図１１に示すように、本発明に係る芯が交換可能な錠前は、通常の状態で使用可能なカギ８１及び、芯を変更しても使用可能なマスターキー８２を有し、使用時の操作方法は以下の通りである。
【００３０】
図７、図１２、図１３に示すように、通常の状態でカギ８１を使用する時は、該カギ８１を、内筒２０の挿入穴２１を介してそれぞれのタンブラー３０の第一カギ穴３１１に挿し込み、複数のタンブラー３０における貫設部材３１Ａの第一段差面３１２Ａに当接させながら第一スプリング３２を押圧し、貫設部材３１における内筒２０から係合凹部１２に突出した部分を、係合凹部１２から内筒２０の内部まで縮退させる。この時、使用者は、カギ８１を回して内筒２０を回転させることにより解錠することができる。
【００３１】
上述したように、カギ８１を通常の状態で使用する場合、カギ８１の長さは、後開口１１２近傍の解除貫設部材４１まで延出することはないため、カギ８１が解除貫設部材４１と接触することはないと共に、解除貫設部材４１の第一端４１１が第二スプリング４２の付勢力により第一摺動凹部１４に押込まれる。そして、カギ８１が内筒２０を回転して解錠することが出来るが、カギ８１及び内筒２０の回転範囲は、解除貫設部材４１の第一端４１１が第一摺動凹部１４に対して回動可能な範囲に制限される。
この時、第一摺動凹部１４と第二摺動凹部１５は、制限部１６により連通しないことから、ロックタンブラー４０が内筒２０と連動して外筒１０に対して回転しても、第一端４１１が制限部１６に止められて第二摺動凹部１５まで回動することはなく、また、該第一端４１１の形状は、解除凹部１３の形状と合わないことから、該ロックタンブラー４０を回動させても第一端４１１が制限部１６に嵌め込まれることはない。よって、カギ８１による内筒２０を解錠しても内筒２０を軸方向Ｌ１に沿って外筒１０から取り外すことはできない。
【００３２】
図８乃至図１２、及び図１４に示すように、解錠の状態においてマスターキー８２を内筒２０に挿入すると、マスターキー８２が複数のタンブラー３０の第一スプリング３２をそれぞれ押圧して貫設部材３１を内筒２０の内部に縮退させる。この時、マスターキー８２の軸方向Ｌ１の長さは、カギ８１の長さよりも長いことから、マスターキー８２が後開口１１２近傍の解除貫設部材４１まで挿し込まれるので、解除貫設部材４１を押圧して第二スプリング４２により第一端４１１を内筒２０の内部まで縮退させると共に、第二端４１２を第二摺動凹部１５から突出させる。
そして、使用者がマスターキー８２を逆方向へ回転させ、解除貫設部材４１の第二端４１２を、第二摺動凹部１５における、解除凹部１３と対応する箇所まで回転させて、マスターキー８２を前開口１１１方向へ引くと、内筒２０を外筒１０から引き抜いて取り外すことができる。その後、新たな内筒２０を用いて、上述したステップを逆に行えば、新たな内筒２０を外筒１０に取り付けることができる。この構成によれば、操作上、非常に便利で余計な解錠作業も必要としないので、作業時間をかなり節約することができる。
【００３３】
図１１、図１３、図１４に示すように、本実施例は主に、異なる長さを有するカギ８１及びマスターキー８２を自由に選択して使用することによって、解除貫設部材４１を押込んで内筒２０を取り外してもよく、他の技術手段により解除貫設部材４１を押込んで内筒２０を取り外してもよい。
【００３４】
図４に示すように、第一実施例においては、タンブラー３０に解除面３１３が設けられることから、マスターキー８２を内筒２０から複数のタンブラー３０の解除面３１３に挿入させると、該マスターキー８２が各貫設部材３１の解除面３１３に当接しながら押圧する。すなわち、複数の錠前では、貫設部材３１の解除面３１３を同一の高度に位置させれば、マスターキー８２を使うことにより、それらの錠前を解錠できると共に、内筒２０を外筒１０から取り外して変更することもできる。
【００３５】
一方、第二実施例においては、タンブラー３０Ａに解除面３１３を有しないことから、マスターキー８２Ａ及びカギ８１Ａ共に、貫設部材３１Ａの第一段差面３１２Ａに当接しながら押圧することから、マスターキー８２を使用しては、それに対応している内筒２０Ａを取り外すことができるが、他の内筒２０を取り外すことが出来ない。
【００３６】
本発明に係る芯が交換可能な錠前は、外筒１０の解除凹部１３と、第一摺動凹部１４と、第二摺動凹部１５と内筒２０にあるロックタンブラー４０との構造設計によって、内筒２０の取り外し作業が従来よりも容易となった。使用する時は、マスターキー８２を、解除貫設部材４１に当接するまで内筒２０に挿し込んで逆方向へ回転させ、解除貫設部材４１が解除凹部１３と対応した時に、内筒２０を外筒１０から引き抜けば取り外すことができる。この構成によれば、外筒１０を取り外す必要がなく、内筒２０を効率的に変更することができるので、メンテナンスコストを抑えることができる。
【符号の説明】
【００３７】
１０  外筒
１１  収容穴
１１１  前開口
１１２  後開口
１２  係合凹部
１３  解除凹部
１４  第一摺動凹部
１５  第二摺動凹部
１６  制限部
２０  内筒
２１  挿入穴
２２  段差面
２３  貫通穴
２４  当接部
３０、３０Ａ  タンブラー
３１、３１Ａ  貫設部材
３１１  第一カギ穴
３１２、３１２Ａ  第一段差面
３１３  解除面
３１４  第一当接突起
３２  第一スプリング
４０  ロックタンブラー
４１  解除貫設部材
４１１  第一端
４１２  第二端
４１３  解除穴
４１４  第二段差面
４１５  第二当接突起
４２  第二スプリング
８１  カギ
８２  マスターキー
Ｌ１  軸方向
【図１】
2018084134.tif 000003
【図２】
2018084134.tif 000004
【図３】
2018084134.tif 000005
【図４】
2018084134.tif 000006
【図５】
2018084134.tif 000007
【図６】
2018084134.tif 000008
【図７】
2018084134.tif 000009
【図８】
2018084134.tif 000010
【図９】
2018084134.tif 000011
【図１０】
2018084134.tif 000012
【図１１】
2018084134.tif 000013
【図１２】
2018084134.tif 000014
【図１３】
2018084134.tif 000015
【図１４】
2018084134.tif 000016